(57)【要約】【課題】小型・薄型化を維持した上で強度低下を回避したレンズ鏡胴、およびこのようなレンズ鏡胴を備えた撮影装置を提供する。【解決手段】外面１４２に第２カムフォロアピン１４２２を有するカム筒１４０の外側に、その第２カムフォロアピン１４２２が嵌入するカム溝１９１１を内面１９１に有する第１移動筒１９０が配置されている。また、内面１４１にカム溝１４１１，１４１２を有するカム筒１４０の内側に、そのカム溝１４１１，１４１２のうちの一方のカム溝１４１１に嵌入するカムフォロアピン１５２１を外面１５２に有する３群レンズ枠１５０、およびそのカム溝１４１１，１４１２のうちの他方のカム溝１４１２に嵌入するカムフォロアピン１６２１を外面１６２に有する２群レンズ枠１６０が配置されている。【選択図】        図３
2011043676.tif 000002
【特許請求の範囲】
【請求項１】
少なくとも３群のレンズを備えたレンズ鏡胴であって、
固定筒、
前記３群のレンズのうちの最も被写体側に配備された第１レンズ群を保持する１群レンズ枠が固定され、内面にカム溝が形成され光軸方向に直進的に移動自在な第１移動筒、
前記３群のレンズのうちの第２レンズ群および第３レンズ群をそれぞれ保持し光軸方向に直進的に移動自在な、いずれも前記第１移動筒より小径であって双方の外面に各カムピンが形成された２群レンズ枠と３群レンズ枠、および、
前記固定筒に対し光軸を回転軸として回転しながら光軸方向に移動自在であって、前記第１移動筒の内面と、前記２群レンズ枠および前記３群レンズ枠双方の外面との間に入り込み、外面に前記第１移動筒内面のカム溝に嵌入するカムピンを有するとともに内面に前記２群レンズ枠および前記３群レンズ枠双方の外面に設けられた各カムピンが嵌入するカム溝を有するカム筒を備えたことを特徴とするレンズ鏡胴。
【請求項２】
前記固定筒が、内面にカム溝と直進キー溝とが設けられたものであって、
内面に直進キー溝が設けられるとともに、外面に、前記固定筒の内面に設けられたカム溝に嵌合したカムピンを有し、駆動力を受けた該カムピンの該カム溝に沿う移動に伴って、回転を伴いながら光軸方向に移動する第２移動筒と、
内面から外面に貫通したカム溝が設けられるとともに内面に直進キー溝が設けられ、前記固定筒の内面に設けられた直進キー溝に嵌合して、前記第２移動筒の回転に伴って、回転を伴わずに光軸方向に前記第２移動筒と一体的に移動するキーリングとを備え、
前記カム筒が、前記キーリングの内面から外面に貫通したカム溝と嵌合して該カム溝から外向きに突出し、該外向きに突出した先端部分が前記第２移動筒の内面に設けられた直進キー溝に嵌合した、外面に外向きに突出したカムピンを更に有し、前記第２移動筒の回転に伴って該第２移動筒と一体に回転しながら、前記キーリングのカム溝に沿って、光軸方向に移動するものであることを特徴とする請求項１記載のレンズ鏡胴。
【請求項３】
前記キーリングの内面に設けられた直進キー溝に嵌合して、前記カム筒の回転に伴って、回転を伴わずに光軸方向に前記カム筒と一体的に移動する第３移動筒を備え、
前記３群レンズ枠が、前記キーリングの内面に設けられた直進キー溝に嵌合して、前記カム筒の回転に伴って、回転を伴わずに光軸方向に移動するものであって、
前記２群レンズ枠が、内面に直進キー溝が設けられ、該直進キー溝に前記３群レンズ枠が嵌合して、前記カム筒の回転に伴って、回転を伴わずに光軸方向に移動するものであって、
前記第１移動筒が、前記第３移動筒の内面に設けられた直進キー溝に嵌合して、前記カム筒の回転に伴って、回転を伴わずに光軸方向に移動するものであることを特徴とする請求項２記載のレンズ鏡胴。
【請求項４】
請求項１記載のレンズ鏡胴、
前記固定筒が固定された、撮像素子を備えたカメラボディ、および
前記撮像素子に被写体を結像する前記少なくとも３群のレンズとフォーカスレンズとを有する結像レンズを備えたことを特徴とする撮影装置。
【請求項５】
請求項２記載のレンズ鏡胴、
前記固定筒が固定された、撮像素子を備えたカメラボディ、および
前記撮像素子に被写体を結像する前記少なくとも３群のレンズとフォーカスレンズとを有する結像レンズを備えたことを特徴とする撮影装置。
【請求項６】
請求項３記載のレンズ鏡胴、
前記固定筒が固定された、撮像素子を備えたカメラボディ、および
前記撮像素子に被写体を結像する前記少なくとも３群のレンズとフォーカスレンズとを有する結像レンズを備えたことを特徴とする撮影装置。
【発明の詳細な説明】
【技術分野】
【０００１】
本発明は、３つのレンズ群により構成されたズームレンズを保持した、繰出し、沈胴自在なレンズ鏡胴、およびこのようなレンズ鏡胴を備えた撮影装置に関する。
【背景技術】
【０００２】
近年、撮影装置の小型・薄型化が盛んに進められている。また、撮影装置のうちの、複数のレンズ群により構成されたズームレンズを保持した、繰出し、沈胴自在なレンズ鏡胴を備えた撮影装置においても、更なる小型・薄型化が要求されるようになってきている。
【０００３】
そのようなレンズ鏡胴として、例えば、外面と内面とにそれぞれカム溝が設けられた回転筒（カム筒）を備えたレンズ鏡胴が提案されている（例えば、特許文献１参照。）。
【先行技術文献】
【特許文献】
【０００４】
【特許文献１】特許第３８４２０８７号公報
【発明の概要】
【発明が解決しようとする課題】
【０００５】
上記特許文献１に提案されたレンズ鏡胴は、回転筒（カム筒）の外面と内面とにそれぞれカム溝が設けられているため、このレンズ鏡胴によれば、複数のレンズ群を支障なく光軸方向に移動することと、光軸方向に小型化することが、両立される。
【０００６】
しかしながら、このレンズ鏡胴は、光軸直角方向から透視したときに、回転筒（カム筒）の外面と内面とにそれぞれ設けられたカム溝どうしが重なる部分が存在することとなり、このような部分では、他の部分よりも強度が落ちるという欠点を有する。
【０００７】
本発明は、上記事情に鑑み、小型・薄型化を維持した上で強度低下を回避したレンズ鏡胴、およびこのようなレンズ鏡胴を備えた撮影装置を提供することを目的とするものである。
【課題を解決するための手段】
【０００８】
上記目的を達成する本発明のレンズ鏡胴は、
少なくとも３群のレンズを備えたレンズ鏡胴であって、
固定筒、
上記３群のレンズのうちの最も被写体側に配備された第１レンズ群を保持する１群レンズ枠が固定され、内面にカム溝が形成され光軸方向に直進的に移動自在な第１移動筒、
上記３群のレンズのうちの第２レンズ群および第３レンズ群をそれぞれ保持し光軸方向に直進的に移動自在な、いずれも上記第１移動筒より小径であって双方の外面に各カムピンが形成された２群レンズ枠と３群レンズ枠、および、
上記固定筒に対し光軸を回転軸として回転しながら光軸方向に移動自在であって、上記第１移動筒の内面と、上記２群レンズ枠および上記３群レンズ枠双方の外面との間に入り込み、外面に上記第１移動筒内面のカム溝に嵌入するカムピンを有するとともに内面に上記２群レンズ枠および上記３群レンズ枠双方の外面に設けられた各カムピンが嵌入するカム溝を有するカム筒を備えたことを特徴とする。
【０００９】
ここで、本発明にいう「レンズ群」は、光学的に区分されるレンズ群ではなく、移動単位としてのレンズ群を意味するものである。
【００１０】
本発明のレンズ鏡胴は、外面にカムピンを有するカム筒の外側に、そのカムピンが嵌入するカム溝を内面に有する第１移動筒が配置され、内面にカム溝を有するカム筒の内側に、そのカム溝に嵌入するカムピンを外面に有する２群レンズ枠および３群レンズ枠が配置されているため、回転筒（カム筒）の外面と内面とにそれぞれカム溝が設けられた従来のレンズ鏡胴のように、カム筒を光軸直角方向から透視したときにカム溝が重なることがない。従って、本発明のレンズ鏡胴によれば、小型・薄型化を維持した上で強度低下が回避される。
【００１１】
ここで、本発明のレンズ鏡胴は、
「上記固定筒が、内面にカム溝と直進キー溝とが設けられたものであって、
内面に直進キー溝が設けられるとともに、外面に、上記固定筒の内面に設けられたカム溝に嵌合したカムピンを有し、駆動力を受けたこのカムピンのそのカム溝に沿う移動に伴って、回転を伴いながら光軸方向に移動する第２移動筒と、
内面から外面に貫通したカム溝が設けられるとともに内面に直進キー溝が設けられ、上記固定筒の内面に設けられた直進キー溝に嵌合して、上記第２移動筒の回転に伴って、回転を伴わずに光軸方向に上記第２移動筒と一体的に移動するキーリングとを備え、
上記カム筒が、上記キーリングの内面から外面に貫通したカム溝と嵌合してこのカム溝から外向きに突出し、この外向きに突出した先端部分が上記第２移動筒の内面に設けられた直進キー溝に嵌合した、外面に外向きに突出したカムピンを更に有し、上記第２移動筒の回転に伴ってこの第２移動筒と一体に回転しながら、上記キーリングのカム溝に沿って、光軸方向に移動するものである」
ことが好ましい。
【００１２】
また、本発明のレンズ鏡胴のうちの上記キーリングを備えたレンズ鏡胴は、
「上記キーリングの内面に設けられた直進キー溝に嵌合して、上記カム筒の回転に伴って、回転を伴わずに光軸方向に上記カム筒と一体的に移動する第３移動筒を備え、
上記３群レンズ枠が、上記キーリングの内面に設けられた直進キー溝に嵌合して、上記カム筒の回転に伴って、回転を伴わずに光軸方向に移動するものであって、
上記２群レンズ枠が、内面に直進キー溝が設けられ、この直進キー溝に上記３群レンズ枠が嵌合して、上記カム筒の回転に伴って、回転を伴わずに光軸方向に移動するものであって、
上記第１移動筒が、上記第３移動筒の内面に設けられた直進キー溝に嵌合して、上記カム筒の回転に伴って、回転を伴わずに光軸方向に移動するものである」
ことも好ましい形態である。
【００１３】
また、上記目的を達成する本発明の撮影装置は、
本発明のレンズ鏡胴、
上記固定筒が固定された、撮像素子を備えたカメラボディ、および
上記撮像素子に被写体を結像する上記少なくとも３群のレンズとフォーカスレンズとを有する結像レンズを備えたことを特徴とする。
【００１４】
ここで、本発明にいう「撮像素子」とは、例えばＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどのイメージセンサをいう。
【００１５】
また、本発明にいう「レンズ群」は、光学的に区分されるレンズ群ではなく、移動単位としてのレンズ群を意味するものである。
【００１６】
本発明の撮影装置は、本発明のレンズ鏡胴が備えられたものである。従って、本発明の撮影装置によれば、小型・薄型化を維持した上で強度低下が回避されたレンズ鏡胴を備えた撮影装置が得られる。
【発明の効果】
【００１７】
本発明によれば、小型・薄型化を維持した上で強度低下を回避したレンズ鏡胴、およびこのようなレンズ鏡胴を備えた撮影装置が提供される。
【図面の簡単な説明】
【００１８】
【図１】本発明の撮影装置の一実施形態であるデジタルカメラの前面を斜め上から見て示した斜視図である。
【図２】本発明の撮影装置の一実施形態であるデジタルカメラの背面を斜め上から見て示した斜視図である。
【図３】図１に示すレンズ鏡胴の内部構造を示す光軸に沿う方向の断面図である。
【図４】図１，図３に示すレンズ鏡胴の分解斜視図である。
【発明を実施するための形態】
【００１９】
以下、図面を参照して本発明の実施の形態を説明する。
【００２０】
図１、図２は、本発明の撮影装置の一実施形態であるデジタルカメラ１の、それぞれ前面および背面を斜め上から見て示した斜視図である。
【００２１】
デジタルカメラ１の前面には、カメラ本体１０から突出した繰出状態にあるレンズ鏡胴１００が示されている。このレンズ鏡胴１００は図１に示す繰出状態とその繰出状態の筒長よりも筒長を収縮させてカメラ本体１０内に収容された図示しない沈胴状態とを有する。尚、このレンズ鏡胴１００は、本発明のレンズ鏡胴の一実施形態である。レンズ鏡胴１００の構造についての詳細な説明は後述する。
【００２２】
また、このレンズ鏡胴１００の内部には、焦点距離可変なズームレンズと被写体に焦点を合わせるフォーカスレンズとからなる結像レンズ２００が備えられている。さらに、このデジタルカメラ１の前面には、撮影時にフラッシュ光を発するフラッシュ発光部１１が備えられ、このデジタルカメラ１の上面には、このデジタルカメラ１に撮影指示を与える、半押しおよび全押しの２段階に押下可能なシャッタボタン１２が配備されている。
【００２３】
また、このデジタルカメラ１の図２に示す背面には、Ｔ／Ｗ（テレ／ワイド）切替レバー２１、撮影／再生切替ボタン２２、ファンクションボタン２３、４方向キー２４、ＯＫキー２５、ＤＩＳＰ／ＢＡＣＫキー２６、および画面表示用のＬＣＤパネル２７が配置されている。
【００２４】
ここで、Ｔ／Ｗ切替レバー２１は、結像レンズ２００の焦点距離切替用のレバーである。また、撮影／再生切替ボタン２２は、１回押すごとにこのデジタルカメラ１のモードを撮影モードと再生モードとに切り替えるためのボタンである。
【００２５】
さらにファンクションボタン２３は、これを押すとＬＣＤパネル２７上にメニューが表示される。その後４方向キー２４の左右ボタンでメニューを切り替え、４方向キー２４の上下ボタンでそのメニュー中のいずれかの項目を選択し、ＯＫボタン２５を押すことによりその選択した項目が設定される。この操作より、例えばＩＳＯ感度、フラッシュ発光の有無、その他撮影モードあるいは再生モード中の様々な項目の設定が行なわれる。
【００２６】
さらに、ＤＩＳＰ／ＢＡＣＫキー２６は、例えば再生モードにおいてＬＣＤパネル２７上に表示される画像の表示態様（１枚の画像のみ表示／複数枚のサムネイル画像を並べて表示など）を順次切り替えたり、表示画像を１つ前の画面に戻したりするときに押下するキーである。
【００２７】
以下、図３，図４を参照して、図１に示すレンズ鏡胴１００の構造を説明する。
【００２８】
図３は、図１に示すレンズ鏡胴１００の内部構造を示す光軸に沿う方向の断面図である。また、図４は、図１，図３に示すレンズ鏡胴１００の分解斜視図である。
【００２９】
図３，図４に示すレンズ鏡胴１００は、結像レンズ２００（図１参照）の構成要素である３つのレンズ群１５１，１６１，１８１により構成されたズームレンズを保持した、繰出し、沈胴自在なレンズ鏡胴である。尚、ここでいう「レンズ群」は、光学的に区分されるレンズ群ではなく、移動単位としてのレンズ群を意味するものである。このレンズ鏡胴１００は、固定筒１１０と、第２移動筒１２０と、キーリング１３０と、カム筒１４０と、第１移動筒１９０との比較において相対的に小径な３群レンズ枠１５０と、第１移動筒１９０との比較において相対的に小径な２群レンズ枠１６０と、第３移動筒１７０と、３群レンズ枠１５０および２群レンズ枠１６０との比較において相対的に大径な第１移動筒１９０と、１群レンズ枠１８０と、駆動ギア３００とを備えている。
【００３０】
ここで、図２に示すＴ／Ｗ切替レバー２１を操作すると、テレ側に操作するかワイド側に操作するかに応じて、図示しないズーム駆動モータが正転あるいは逆転する。このズーム駆動モータの回転駆動力は、駆動ギア３００を介して第２移動筒１２０に伝達される。
【００３１】
固定筒１１０には、内面１１１にカム溝１１１１と直進キー溝１１１２とが設けられている。
【００３２】
第２移動筒１２０には、内面１２１に直進キー溝１２１１が設けられている。また、第２移動筒１２０には、外面１２２に外向きに突出したカムフォロアピン１２２１が設けられている。このカムフォロアピン１２２１は、固定筒１１０の内面１１１に設けられたカム溝１１１１に嵌合している。このような第２移動筒１２０は、この第２移動筒１２０および図示しないズーム駆動モータの双方と係合した駆動ギア３００を介した駆動力を受けたカムフォロアピン１２２１のカム溝１１１１に沿う移動に伴って、固定筒１１０に対し光軸を回転軸として回転を伴いながら光軸方向である矢印Ａ方向に移動するものである。
【００３３】
キーリング１３０には、内面１３１から外面１３２に貫通したカム溝１３１１が設けられている。また、キーリング１３０には、内面１３１に直進キー溝１３１２が設けられている。このようなキーリング１３０は、固定筒１１０の内面１１１に設けられた直進キー溝１１１２に嵌合して、第２移動筒１２０の回転に伴って、回転を伴わずに光軸方向である矢印Ａ方向に直進的に移動するものである。
【００３４】
カム筒１４０には、内面１４１に２つのカム溝１４１１，１４１２が設けられている。また、カム筒１４０には、圧入されることによって外面１４２に外向きに突出した第１カムフォロアピン１４２１が設けられている。カム筒１４０は、第１移動筒１９０の内面１９１と、２群レンズ枠１６０および３群レンズ枠１５０双方の外面１６２，１５２との間に入り込んでいる。第１カムフォロアピン１４２１は、キーリング１３０の内面１３１から外面１３２に貫通したカム溝１３１１に嵌合してこのカム溝１３１１から外向きに突出し、その外向きに突出した先端部分１４２１ａが第２移動筒１２０の内面１２１に設けられた直進キー溝１２１１と嵌合している。また、カム筒１４０には、第１カムフォロアピン１４２１よりも光軸方向対物側（矢印Ａ方向の左側）の外面１４２に外向きに突出した第２カムフォロアピン１４２２が設けられている。このようなカム筒１４０は、第２移動筒１２０の回転に伴って第２移動筒１２０と一体に、固定筒１１０に対し光軸を回転軸として回転しながら、キーリング１３０のカム溝１３１１に沿って、光軸方向である矢印Ａ方向に移動するものである。
【００３５】
３群レンズ枠１５０は、ズームレンズを構成する第３レンズ群１５１を、図示しない機構を介して保持している。また、３群レンズ枠１５０には、外面１５２に外向きに突出したカムフォロアピン１５２１が設けられている。このカムフォロアピン１５２１は、カム筒１４０の内面１４１に設けられた２つのカム溝１４１１，１４１２のうちの一方のカム溝１４１１に嵌合している。このような３群レンズ枠１５０は、キーリング１３０の内面１３１に設けられた直進キー溝１３１２に嵌合して、カム筒１４０の回転に伴って、回転を伴わずに光軸方向である矢印Ａ方向に直進的に移動するものである。
【００３６】
２群レンズ枠１６０は、ズームレンズを構成する第２レンズ群１６１を保持している。また、２群レンズ枠１６０には、外面１６２に外向きに突出したカムフォロアピン１６２１が設けられている。このカムフォロアピン１６２１は、カム筒１４０の内面１４１に設けられた２つのカム溝１４１１，１４１２のうちの他方のカム溝１４１２に嵌合している。また、２群レンズ枠１６０には、内面１６３に直進キー溝１６３１が設けられている。このような２群レンズ枠１６０は、内面１６３に設けられた直進キー溝１６３１に３群レンズ枠１５０が嵌合して、カム筒１４０の回転に伴って、回転を伴わずに光軸方向である矢印Ａ方向に直進的に移動するものである。
【００３７】
第３移動筒１７０には、内面１７１に直進キー溝１７１１が設けられている。このような第３移動筒１７０は、キーリング１３０の内面１３１に設けられた直進キー溝１３１２に嵌合して、カム筒１４０の回転に伴って、回転を伴わずに光軸方向である矢印Ａ方向に直進的に移動するものである。
【００３８】
１群レンズ枠１８０は、３群レンズのうちの最も被写体側に配備された、ズームレンズを構成する第１レンズ群１８１を保持している。
【００３９】
第１移動筒１９０には、内面１９１に１群レンズ枠１８０が固定されている。第１移動筒１９０には、内面１９１にカム溝１９１１が設けられている。そして、このカム溝１９１１に、カム筒１４０の外面１４２に外向きに突出した第２カムフォロアピン１４２２が嵌合している。このような第１移動筒１９０は、第３移動筒１７０の内面１７１に設けられた直進キー溝１７１１に嵌合して、カム筒１４０の回転に伴って、回転を伴わずに光軸方向である矢印Ａ方向に直進的に移動するものである。
【００４０】
また、図３，図４には、結像レンズ２００（図１参照）の構成要素であるフォーカスレンズ２１０と、フォーカスレンズ２１０の背面に配備されたＣＣＤイメージセンサ２２０も示されている。
【００４１】
フォーカスレンズ２１０は、フォーカスレンズ保持枠２１１に保持されている。このフォーカスレンズ２１０は、図示しないフォーカスレンズ駆動装置によって光軸方向に移動されて撮影画角の中央領域に焦点を合わせる、フォーカス機能によるフォーカシングが連続的に行われている。シャッタボタン１２（図１，図２参照）を半押しすると、フォーカスレンズ２１０の位置をその半押しされた時点の位置に固定するフォーカスロックが設定され、シャッタボタン１２（図１，図２参照）を全押しすると、シャッタが切られて実際の撮影が行われる。
【００４２】
ＣＣＤイメージセンサ２２０は、ＣＣＤイメージセンサ２２０に半田接続されたフレキシブル基板２３０を背面側に挟み込むようにしてＣＣＤプレート２４０に接着固定されている。そして、ＣＣＤイメージセンサ２２０が接着固定されたＣＣＤプレート２４０は、ベース２５０にねじ止め固定されている。尚、このベース２５０には、上述した固定筒１１０も固定されている。３つのレンズ群１５１，１６１，１８１とフォーカスレンズ２１０とを経由してきた被写体光はＣＣＤイメージセンサ２２０に入射されて電気信号であるアナログの画像信号に変換される。さらに図示しない電子回路により画像処理等が行なわれて記録メディア上に画像データ記録される。
【００４３】
以上説明した本実施形態のレンズ鏡胴１００は、外面１４２に第２カムフォロアピン１４２２を有するカム筒１４０の外側に、その第２カムフォロアピン１４２２が嵌入するカム溝１９１１を内面１９１に有する第１移動筒１９０が配置されている。また、このレンズ鏡胴１００は、内面１４１にカム溝１４１１，１４１２を有するカム筒１４０の内側に、そのカム溝１４１１，１４１２のうちの一方のカム溝１４１１に嵌入するカムフォロアピン１５２１を外面１５２に有する３群レンズ枠１５０、およびそのカム溝１４１１，１４１２のうちの他方のカム溝１４１２に嵌入するカムフォロアピン１６２１を外面１６２に有する２群レンズ枠１６０が配置されている。そのため、回転筒（カム筒）の外面と内面とにそれぞれカム溝が設けられた従来のレンズ鏡胴のように、カム筒を光軸直角方向から透視したときにカム溝が重なることがない。従って、本実施形態のレンズ鏡胴１００、およびこのレンズ鏡胴１００を備えたデジタルカメラ１によれば、小型・薄型化を維持した上で強度低下が回避される。
【００４４】
尚、上述した実施形態では、本発明の撮影装置が、デジタルカメラである例を挙げて説明したが、本発明の撮影装置は、これに限られるものではなく、例えば銀塩カメラやインスタントカメラなどであってもよい。
【００４５】
また、上述した実施形態では、本発明にいう撮像素子が、ＣＣＤイメージセンサである例を挙げて説明したが、本発明にいう撮像素子は、これに限られるものではなく、例えばＣＭＯＳイメージセンサなどであってもよい。
【００４６】
また、上述した実施形態では、３つのレンズ群により構成されたズームレンズとフォーカスレンズとによるレンズ構成の例を挙げて説明したが、本発明は、これに限られるものではなく、更に別のレンズ群を含むものであってもよい。
【符号の説明】
【００４７】
１    デジタルカメラ
１０    カメラ本体
１１    フラッシュ発生部
１２    シャッタボタン
２１    Ｔ／Ｗ（テレ／ワイド）切替レバー
２２    撮影／再生切替ボタン
２３    ファンクションボタン
２４    ４方向キー
２５    ＯＫキー
２６    ＤＩＳＰ／ＢＡＣＫキー
２７    画面表示用のＬＣＤパネル
１００    レンズ鏡胴
１１０    固定筒
１１１    内面
１１１１    カム溝
１１１２    直進キー溝
１２０    第２移動筒
１２１    内面
１２１１    直進キー溝
１２２    外面
１２２１    カムフォロアピン
１３０    キーリング
１３１    内面
１３１１    カム溝
１３１２    直進キー溝
１３２    外面
１４０    カム筒
１４１    内面
１４１１，１４１２    カム溝
１４２    外面
１４２１    第１カムフォロアピン
１４２１ａ    先端部分
１４２２    第２カムフォロアピン
１５０    ３群レンズ枠
１５１    第３レンズ群
１５２    外面
１５２１    カムフォロアピン
１６０    ２群レンズ枠
１６１    第２レンズ群
１６２    外面
１６２１    カムフォロアピン
１６３    内面
１６３１    直進キー溝
１７０    第３移動筒
１７１    内面
１７１１    直進キー溝
１８０    １群レンズ枠
１８１    第１レンズ群
１９０    第１移動筒
１９１    内面
１９１１    カム溝
２００    結像レンズ
２１０    フォーカスレンズ
２１１    フォーカスレンズ保持枠
２２０    ＣＣＤイメージセンサ
２３０    フレキシブル基板
２４０    ＣＣＤプレート
２５０    ベース
３００    駆動ギア
【図１】
2011043676.tif 000003
【図２】
2011043676.tif 000004
【図３】
2011043676.tif 000005
【図４】
2011043676.tif 000006